(57)【要約】【課題】防護盾の強度を向上させるとともに使い勝手をよくし、しかも過剰とならない範囲で加撃機能を持たせる。【解決手段】ポリカーボネート等の高強度樹脂を主材とした防護板内にアルミ材などの網状補強材を埋設し、また防護板に透明もしくは半透明の小窓やフラッシュ手段を備える。これにより、とくに刃物類による切り裂きが困難で、しかも殴打衝撃に対する十分な強度を発揮するとともに攻撃相手方に向けた視認性が良好で、また過剰な攻撃にならない範囲で必要に応じて強烈なフラッシングを発して攻撃意欲を減退させることができる。【選択図】図１
2006329504.tif 000002
【特許請求の範囲】
【請求項１】
高強度樹脂を主材とした防護板内に網状補強材を埋設してなることを特徴とした防護盾。
【請求項２】
高強度樹脂を主材とした防護板内に網状補強材を埋設するとともに、防護板の上方部に透明もしくは半透明の小窓を形成してなることを特徴とした防護盾。
【請求項３】
高強度樹脂を主材とした防護板内に網状補強材を埋設するとともに、防護板の上方部に透明もしくは半透明の小窓を形成し、かつ防護板の一部には、前方へ向けて発光するフラッシュ手段を備えてなることを特徴とした防護盾。
【請求項４】
高強度樹脂がポリカーボネートであるところの請求項１〜３のいずれか１に記載の防護盾。
【請求項５】
網状補強材が防護板の全面にわたり埋設されているところの請求項１〜３のいずれか１に記載の防護盾。
【請求項６】
網状補強材がアルミ材からなるものであるところの請求項１〜３のいずれか１に記載の防護盾。
【発明の詳細な説明】
【技術分野】
【０００１】
本発明は、学校内に侵入した暴漢や、銀行、コンビニエンスストアあるいはパチンコ店などに現れた強盗犯などに対応して子供達やあるいは自らを防護し、かつ撃退する手段として用いられる防護用の盾に関し、特に刃物類や殴打衝撃に対して十分な強度を有するとともに敵対視認性がよく、しかも必要に応じて強烈なフラッシングを発して攻撃意欲を減退させることを目的とする。
【背景技術】
【０００２】
防護用の盾に関しては、これまでに種々のものが発案されている。例えば裏面に把持部を取り付けた合成樹脂製の盾板本体表面にハーフミラー膜を貼着し、外面からの可視光線のうち一部のみを透過させ、それ以外の可視光線を反射して相手から使用者の動きを確認困難とするようにしたものが知られている（特開２００４−３７０３３号公報）。
【０００３】
また盾本体の一部に形成した開口部から催涙ガスを噴射するようにした催涙スプレー付きの盾も知られている（特開２００４−７７０２６号公報）。
【特許文献１】特開２００４−３７０３３号公報
【特許文献２】特開２００４−７７０２６号公報
【発明の開示】
【発明が解決しようとする課題】
【０００４】
しかしながら特許文献１のものは盾板本体自体の強度において、特に刃物類や殴打衝撃に対して十分ではなく、また特許文献２のものにあっても、使用者にときとして過剰防衛の嫌疑がかかるおそれもあり、とくに学校内に侵入した暴漢などに対する防護用の盾としては適切ではなあい。
【課題を解決するための手段】
【０００５】
そこで本発明にあっては、防犯用に常備する盾として特に刃物類や殴打衝撃に対する十分な強度を有するとともに、敵対攻撃手段として過剰とならず、しかも十分な効果を発揮できるようにしたものであって、具体的には請求項１の発明はポリカーボネート等の高強度樹脂を主材とした防護板内にアルミ材などの網状補強材を埋設してなることを特徴とした防護盾に関する。
【０００６】
また請求項２の発明は、高強度樹脂を主材とした防護板内に網状補強材を埋設するとともに、防護板の上方部に透明もしくは半透明の小窓を形成してなることを特徴とした防護盾に関する。  さらに請求項３の発明は、高強度樹脂を主材とした防護板内に網状補強材を埋設するとともに、防護板の上方部に透明もしくは半透明の小窓を形成し、かつ防護板の一部には、前方へ向けて発光するフラッシュ手段を備えてなることを特徴とした防護盾に関する。
【発明の効果】
【０００７】
請求項１の発明はポリカーボネート等の高強度樹脂を主材とした防護板内にアルミ材などの網状補強材を埋設してなるために、とくに刃物類による切り裂きが困難で、しかも殴打衝撃に対する十分な強度を発揮する。  また請求項２の発明は、上記の高強度に加えて防護板の上方部に透明もしくは半透明の小窓を形成してなるために、網状補強材を埋設してあるにも拘わらず攻撃相手方に向けた視認性が良好であり、安全性がより一層向上する。
【０００８】
さらに請求項３の発明は、上記した高強度および小窓形成に加えて、防護板の一部には、前方へ向けて発光するフラッシュ手段を備えてなるために、過剰な攻撃にならない範囲で必要に応じて強烈なフラッシングを発して攻撃意欲を減退させることができる。
【発明を実施するための最良の形態】
【０００９】
以下において本発明の具体的な内容を説明すると、図１および図２には本発明の第１実施例があらわされている。  同図において１は防護板、２は網状補強材、３は小窓をあらわしている。  防護板１は高強度樹脂材により形成され、特に図示はしないが裏面に把手が取り付けられる。  なお高強度樹脂材としては好ましくはポリカーボネートが用いられる。
【００１０】
網状補強材２は、汎用の金属金網材等でもよいが、好ましくは軽量なアルミ線材を一定間隔毎に縦横に編み組みしたもの、あるいはアルミをハニカム状に形成したものなどが用いられる。  この場合に、網状補強材２は防護板１の全面にわたり、あるいは中央部を中心とした大部分の面にわたり施すものとし、樹脂材を防護板１として射出成型する際に、あらかじめ金型内に設置して一体に埋設成型することができる。
【００１１】
また小窓３は防護板１の上方部に位置し、裏面側から前方を覗き見することができる程度の大きさに形成されるものとし、少なくとも該小窓３の部分は透明もしくはスモーク状、あるいは薄い着色等を施すことにより使用者側（裏面側）からは前方を容易に視認できるとともに相手方側（正面側）からは殆ど視認不可能となる程度に透明もしくは半透明に形成する。
【００１２】
さらに図３および図４には本発明の第２実施例があらわされている。  第２実施例の発明は、網状補強材２を施した防護板１の基本構成については前記した第１実施例の発明と共通であるが、さらに防護板１の一部に前方へ向けて発光するフラッシュ手段４を備えている。
【００１３】
すなわちフラッシュ手段４は防護板１の裏面側に取り付けられ、この場合図４にあらわしたようなリチウム等の超小型ボタン電池などを用いた電源５と、該電源５とストロボ等の瞬間的に強力な閃光を発するフラッシュ手段４との間に介在されるコンデンサ６とからなるコンデンサチャージ式の電気回路で構成され、フラッシュ手段４を防護板１における小窓３の下側に開設したフラッシュ窓に臨ませて取り付けられ、とくに図示してはいないが押しボタンなどのスイッチ手段を操作してフラッシュ手段４を起動させる。
【００１４】
上記した両実施例の構成において、使用者は防護板１における背面側の把手を持ち、正面側を暴漢あるいは強盗犯人などに向け、小窓３から相手方を覗き見しつつ対応し、必要に応じて上記フラッシュ手段４を起動させて瞬間的に強力な閃光を発することにより相手に目眩ましを与えて攻撃意欲を減退させる。
【図面の簡単な説明】
【００１５】
【図１】本発明の第１実施例である防護盾の正面図。
【図２】図１におけるＡーＡ線矢視方向の部分拡大断面図。
【図３】本発明の第２実施例である防護盾の正面図。
【図４】図３の防護盾に用いられるコンデンサチャージ式フラッシュ手段の具体的構成をあらわした説明図。
【符号の説明】
【００１６】
１          防護板
２          網状補強材
３          小窓
４          フラッシュ手段
５          電源
６          コンデンサ
【図１】
2006329504.tif 000003
【図２】
2006329504.tif 000004
【図３】
2006329504.tif 000005
【図４】
2006329504.tif 000006